(57)【要約】【課題】負圧が生じた際に、内窓の障子が外れることを抑制できる二重サッシを提供する。【解決手段】二重サッシでは、建築物の開口部に設置され、外窓及び外窓の屋内側に配置された内窓を備えた二重サッシであって、開口部に沿って設けられた開口枠と、開口枠内に設けられた障子と、開口枠に形成され屋内外方向に貫通する第一換気孔に設けられた圧力調整機構６と、を備え、圧力調整機構６は、第一換気孔の少なくとも一部を開閉可能な第一蓋部６１１と、屋内外方向に貫通するように第一蓋部６１１に設けられた貫通孔６１４を開放可能な第二蓋部６２１と、を有することを特徴とする。【選択図】図７
2019116770.tif 000002
【特許請求の範囲】
【請求項１】
建築物の開口部に設置され、外窓及び該外窓の屋内側に配置された内窓を備えた二重サッシであって、
前記開口部に沿って設けられた開口枠と、
該開口枠内に設けられた障子と、
前記開口枠に形成され屋内外方向に貫通する第一換気孔に設けられた圧力調整機構と、を備え、
該圧力調整機構は、
前記第一換気孔の少なくとも一部を開閉可能な第一蓋部と、
屋内外方向に貫通するように該第一蓋部に設けられた貫通孔を開閉可能な第二蓋部と、を有することを特徴とする二重サッシ。
【請求項２】
屋内側から屋外側に向かう圧力が生じた際に、前記第一蓋部が開放され、
屋外側から屋内側に向かう圧力が生じた際に、前記第二蓋部が開放される請求項１に記載の二重サッシ。
【請求項３】
前記圧力調整機構は、
前記開口枠に支持され、四方枠状に形成された換気枠体と、
該換気枠体内の内部に形成され、前記第一換気孔に連通する収容孔と、を有し、
前記第一蓋部は、左右方向に沿う軸線回りに屋内外方向に回動可能に前記換気枠体に設けられるとともに、前記収容孔を開閉可能とし、
前記第二蓋部は、左右方向に沿う軸線回りに屋内外方向に回動可能に前記第一蓋部に設けられるとともに、前記貫通孔を開閉可能とし、
前記第一蓋部は、前記収容孔の閉塞時に、前記換気枠体の屋外側を向く面に当接し、
前記第二蓋部は、前記貫通孔の閉塞時に、前記第一蓋部の屋内側を向く面に当接している請求項１または２に記載の二重サッシ。
【請求項４】
前記開口枠は、
前記開口部の上端に沿って配置された調整上枠と、
該調整上枠の下方に配置される上枠、下枠及び左右の縦枠を有し、内部に前記障子が設けられた枠体と、を有し、
前記調整上枠と前記上枠との間には、上下方向に伸縮可能な伸縮部が配置され、
該調整上枠は、
前記伸縮部の屋内側に配置され、屋内外方向に貫通する第二換気孔が形成された屋内側換気壁部と、
前記伸縮部の屋外側に配置されるとともに、前記第一換気孔が形成され、前記圧力調整機構が設けられた屋外側換気壁部と、を有する請求項１から３のいずれか一項に記載の二重サッシ。
【請求項５】
前記外窓は、屋内側から屋外側に向かう圧力が生じた際に、空気が屋内側から屋外側に流通可能となる請求項１から４のいずれか一項に記載の二重サッシ。
【発明の詳細な説明】
【技術分野】
【０００１】
本発明は、二重サッシに関するものである。
【背景技術】
【０００２】
従来から、防音性や断熱性の向上のために、建築物の開口部に外窓及び内窓を設けた二重サッシが知られている（例えば、特許文献１参照）。また、北海道等の寒冷地では、断熱性をさらに向上させるために、内窓に樹脂製のサッシが採用されることがある。
【０００３】
外窓及び内窓が引違いサッシの場合、正圧（屋外側から屋内側に向かう圧力）に対して、気密性を確保する構造とされている。そして、正圧が生じると、内窓には外窓に作用する圧力の約１割の大きさの圧力が作用し、負圧（屋内側から屋外側に向かう圧力）が生じると、内窓には外窓に作用する圧力の約８割の大きさの圧力が作用することが確認されている。
【先行技術文献】
【特許文献】
【０００４】
【特許文献１】実公昭６０−２８７６８号公報
【発明の概要】
【発明が解決しようとする課題】
【０００５】
中高層建築物のように障子に作用する風圧が大きい建築物で、内窓が負圧に耐えられず、内窓の障子が枠から外れたり、外れた障子が倒れてガラスが破損したりする虞がある。
【０００６】
そこで、本発明は、上記事情に鑑みてなされたものであり、負圧が生じた際に、内窓の障子が外れることを抑制できる二重サッシを提供する。
【課題を解決するための手段】
【０００７】
上記目的を達成するために、本発明は以下の手段を採用している。
すなわち、本発明に係る二重サッシは、建築物の開口部に設置され、外窓及び該外窓の屋内側に配置された内窓を備えた二重サッシであって、前記開口部に沿って設けられた開口枠と、該開口枠内に設けられた障子と、前記開口枠に形成され屋内外方向に貫通する第一換気孔に設けられた圧力調整機構と、を備え、該圧力調整機構は、前記第一換気孔の少なくとも一部を開閉可能な第一蓋部と、屋内外方向に貫通するように該第一蓋部に設けられた貫通孔を開閉可能な第二蓋部と、を有することを特徴とする。
【０００８】
このように構成された二重サッシでは、負圧が生じた際には、第一蓋部が開口枠に形成された第一換気孔の少なくとも一部を開放するか、第二蓋部が第一蓋部に形成され屋内外方向に貫通する貫通孔を開放する。よって、内窓の屋内側から第一換気孔または貫通孔を通過して屋外側まで連通した空気の流路ができるため、内窓の屋内側と屋外側との圧力差（内窓に作用する圧力）を低減させることができ、内窓の障子が枠体から外れることが抑制される。
【０００９】
また、本発明に係る二重サッシは、屋内側から屋外側に向かう圧力が生じた際に、前記第一蓋部が開放され、屋外側から屋内側に向かう圧力が生じた際に、前記第二蓋部が開放されることが好ましい。
【００１０】
このように構成された二重サッシでは、負圧が生じた際に、第一蓋部が開放されて、開口枠に形成された第一換気孔の少なくとも一部を開放される。また、正圧が生じた際に、第二蓋部が開放され、貫通孔が開放される。よって、負圧及び正圧のいずれかが生じた場合にも、内窓の屋外側から貫通孔を通過して屋外側まで連通した空気の流路ができる。
【００１１】
また、本発明に係る二重サッシでは、前記圧力調整機構は、前記開口枠に支持され、四方枠状に形成された換気枠体と、該換気枠体内の内部に形成され、前記第一換気孔に連通する収容孔と、を有し、前記第一蓋部は、左右方向に沿う軸線回りに屋内外方向に回動可能に前記換気枠体に設けられるとともに、前記収容孔を開閉可能とし、前記第二蓋部は、左右方向に沿う軸線回りに屋内外方向に回動可能に前記第一蓋部に設けられるとともに、前記貫通孔を開閉可能とし、前記第一蓋部は、前記収容孔の閉塞時に、前記換気枠体の屋外側を向く面に当接し、前記第二蓋部は、前記貫通孔の閉塞時に、前記第一蓋部の屋内側を向く面に当接していてもよい。
【００１２】
このように構成された二重サッシでは、換気枠体は開口枠に支持され、第一蓋部は換気枠体に左右方向に沿う軸線回りに回動可能に支持され、第二蓋部は第一蓋部に左右方向に沿う軸線回りに回動可能に支持されている。よって、換気枠体内に第一蓋部及び第二蓋部が納められたユニット化されているため、圧力調整機構の設置を容易に行うことができる。
また、収容孔の閉塞時に、第一蓋部が換気枠体の屋外側を向く面に当接するため、収容孔の閉塞状態を維持することができる。また、貫通孔の閉塞時に、第二蓋部が第一蓋部の屋内側を向く面に当接するため、貫通孔の閉塞状態を維持することできる。
【００１３】
また、本発明に係る二重サッシは、前記開口枠は、前記開口部の上端に沿って配置された調整上枠と、上枠、下枠及び左右の縦枠を有し、内部に前記障子が設けられた枠体と、を有し、前記調整上枠と前記上枠との間には、上下方向に伸縮可能な伸縮部が配置され、
該調整上枠は、前記伸縮部の屋内側に配置され、屋内外方向に貫通する第二換気孔が形成された屋内側換気壁部と、前記伸縮部の屋外側に配置されるとともに、前記第一換気孔が形成され、前記圧力調整機構が設けられた屋外側換気壁部と、を有していてもよい。
【００１４】
このように構成された二重サッシでは、上枠の上方には、伸縮部の高さに相当する高さの隙間が形成される。伸縮部の屋内側には、第二換気孔が形成された屋内側換気壁部が配置されている。伸縮部の屋外側には、第一換気孔が形成され、圧力調整機構が設けられた屋外側換気壁部が配置されている。よって、負圧が生じた際に、第二換気孔、上枠の上方の隙間及び圧力調整機構に連通した流路を形成することができる。
【００１５】
また、本発明に係る二重サッシは、前記外窓は、屋内側から屋外側に向かう圧力が生じた際に、空気が屋内側から屋外側に流通可能となる上記のいずれか一に記載の二重サッシの内窓と、を備えることを特徴とする。
【００１６】
このように構成された二重サッシでは、負圧が生じた際には、第一蓋部が開口枠に形成された第一換気孔の少なくとも一部を開放するか、第二蓋部が第一蓋部に形成され屋内外方向に貫通する貫通孔を開放する。また、外窓では、負圧が生じた際に、空気が屋内側から屋外側に流通可能となる。よって、負圧が生じた際に、内窓の屋内側から外窓の屋外側まで連通した空気の流路ができるため、内窓の屋内側と屋外側との圧力差（内窓に作用する圧力）を低減させることができ、内窓の障子が枠体から外れることが抑制される。
【発明の効果】
【００１７】
本発明に係る二重サッシによれば、負圧が生じた際に、内窓の外障子及び内障子が外れることを抑制できる。
【図面の簡単な説明】
【００１８】
【図１】本発明の一実施形態に係る二重サッシを屋内側から見た正面図である。
【図２】図１のＡ−Ａ線断面図である。
【図３】図１のＢ−Ｂ線断面図である。
【図４】図２のＣ部拡大図である。
【図５】図２のＤ部拡大図である。
【図６】本発明の一実施形態に係る二重サッシの内窓に設けられた圧力調整機構を示す斜視図である。
【図７】本発明の一実施形態に係る二重サッシの内窓に設けられた圧力調整機構を示し、（ａ）負圧が生じた際に状態を示し、（ｂ）負圧と正圧とが釣り合っている状態を示し、（ｃ）正圧が生じた際に状態を示している。
【図８】本発明の一実施形態に係る二重サッシの外窓において、負圧が生じた際の挙動を示す図である。
【発明を実施するための形態】
【００１９】
以下、本発明の一実施形態に係る二重サッシについて、図１から図７に基づいて説明する。
図１は、本発明の一実施形態に係る二重サッシを屋内側から見た正面図である。図２は、図１のＡ−Ａ線断面図である。図３は、図１のＢ−Ｂ線断面図である。
図１から図３に示すように、二重サッシ１００は、建築物の壁部Ｗの開口部Ｐに設けられ、屋外側に配置された外窓１と、屋内側に配置された内窓４と、を備えている。
なお、以下の説明において、屋外側と屋内側とを結ぶ方向を屋内外方向と称する。また、屋内外方向と直交する方向のうち水平方向に沿う方向を左右方向と称する。また、屋内側から見て左側、右側を、それぞれ左側、右側と称する。
【００２０】
図２及び図３に示すように、外窓１は、開口部Ｐに設けられ四角形枠状に形成された枠体１０と、枠体１０に対して左右方向にスライド可能に設けられた外障子２０Ａ、内障子２０Ｂ及び網戸３０と、を有している。外窓１は、いわゆる引違いサッシである。
【００２１】
枠体１０は、左右方向に延在する上枠１１及び下枠１２と、上枠１１の両端部と下枠１２の両端部とをそれぞれ連結し上下方向に延在する縦枠１３と、を有している。本実施形態では、枠体１０は、アルミ製の押出成形部材で構成されている。
【００２２】
外障子２０Ａは枠体１０の屋外側に設けられ、内障子２０Ｂは枠体１０の屋内側に設けられている。外障子２０Ａ及び内障子２０Ｂが閉じた状態で、外障子２０Ａ及び内障子２０Ｂが枠体１０内を閉塞するように配置されている。外障子２０Ａ及び内障子２０Ｂは、それぞれ四方枠状に形成された框体２１と、框体２１内に納められたガラス２９と、を有している。
【００２３】
各框体２１は、左右方向に延在する上框２２及び下框２３と、上框２２の両端部と下框２３の両端部とをそれぞれ連結し上下方向に延在する戸先框２４及び召合せ框２５と、を有している。本実施形態では、框体２１は、アルミ製の押出成形部材で構成されている。
【００２４】
各框２２，２３，２４，２５においてガラス２９側を向く各端面（内周面）には、外方に向かって凹むガラス保持溝２７が形成されている。ガラス保持溝２７内には、ガラス２９の周縁部が嵌め込まれている。
【００２５】
外障子２０Ａと内障子２０Ｂとは、互いの召合せ框２５に設けられたクレセント錠（不図示）をロックすることによりスライド移動がロックされ、クレセント錠を解除することによりスライド移動が可能となるように構成されている。
【００２６】
網戸３０は、四方枠状に形成された網戸框体３１と、網戸框体３１内に設けられた網戸本体３９とを有している。網戸框体３１は、左右方向に延在する網戸上框３２及び網戸下框３３と、網戸上框３２の両端部と網戸下框３３の両端部とをそれぞれ連結し上下方向に延在する網戸縦框３４と、を有している。
【００２７】
図１に示すように、内窓４は、開口部Ｐに設けられた開口枠４Ｘと、開口枠４Ｘに対して左右方向にスライド可能に設けられた外障子５０Ａ及び内障子５０Ｂと、を有している。内窓４は、いわゆる引違いサッシである。
【００２８】
開口枠４Ｘは、開口部Ｐの上端に沿って設けられた調整上枠５と、枠体４０と、を有している。
【００２９】
枠体４０は、左右方向に延在する上枠４１及び下枠４２と、上下方向に延在する縦枠４３と、を有している。本実施形態では、枠体４０は、合成樹脂製の押出成形部材で構成されている。
【００３０】
外障子５０Ａは枠体４０の屋外側に設けられ、内障子５０Ｂは枠体４０の屋内側に設けられている。外障子５０Ａ及び内障子５０Ｂが閉じた状態で、外障子５０Ａ及び内障子５０Ｂが枠体４０内を閉塞するように配置されている。外障子５０Ａ及び内障子５０Ｂは、それぞれ四方枠状に形成された框体５１と、框体５１内に納められたガラス５９と、を有している。
【００３１】
各框体５１は、左右方向に延在する上框５２及び下框５３と、上框５２の両端部と下框５３の両端部とをそれぞれ連結し上下方向に延在する戸先框５４及び召合せ框５５と、を有している。本実施形態では、框体５１は、合成樹脂製の押出成形部材で構成されている。
【００３２】
図２及び図３に示すように、各框５２，５３，５４，５５においてガラス５９側を向く各端面（内周面）には、外方に向かって凹むガラス保持溝５７が形成されている。ガラス保持溝５７内には、ガラス５９の周縁部が嵌め込まれている。
【００３３】
外障子５０Ａと内障子５０Ｂとは、互いの召合せ框５５に設けられたクレセント錠５５０（図１参照。以下同じ。）をロックすることによりスライド移動がロックされ、クレセント錠５５０を解除することによりスライド移動が可能となるように構成されている。
【００３４】
次に、各部の構成について詳細に説明する。
まず、外窓１の上枠１１について説明する。
図４は、図２のＣ部拡大図である。
図４に示すように、上枠１１は、上枠板部１１１と、上枠板部１１１から下方に延びる網戸突出枠壁部１１２、屋外側突出枠壁部１１３、屋内側突出枠壁部１１４及び下向き枠壁部１１５と、を有している。網戸突出枠壁部１１２、屋外側突出枠壁部１１３、屋内側突出枠壁部１１４、下向き枠壁部１１５は、この順に屋外側から屋内側に向かって配置されている。
【００３５】
上枠板部１１１は、平板状に形成され、板厚方向を上下方向に向けて配置されている。上枠板部１１１は、建築物の躯体Ｑに螺子等で固定されている。
【００３６】
網戸突出枠壁部１１２、屋外側突出枠壁部１１３、屋内側突出枠壁部１１４及び下向き枠壁部１１５は、平板状に形成され、板厚方向を屋内外方向に向けて配置されている。
【００３７】
下向き枠壁部１１５の下端部には、屋内側に向けて延びる取付壁部１１６が設けられている。取付壁部１１６は、平板状に形成され、板厚方向を上下方向に向けて配置されている。取付壁部１１６は、開口部Ｐの上端に設けられた上額縁Ｒの下面に螺子等で固定されている。
【００３８】
次に、外窓１の外障子２０Ａの上框２２について説明する。
上框２２は、屋外側に配置される上外板部２２１と、屋内側に配置される上内板部２２２と、上外板部２２１と上内板部２２２とを連結する上連結板部２２３と、を有している。
【００３９】
上外板部２２１及び上内板部２２２は、平板状に形成され、板厚方向を屋内外方向に向けて配置されている。
【００４０】
上連結板部２２３は、上外板部２２１の上下方向の中間と上内板部２２２の上下方向の中間とを連結している。
【００４１】
上外板部２２１の上部には、屋内側に向かって延びる一対の延出壁部２２６，２２７が設けられている。一対の延出壁部２２６，２２７は、上下方向に間隔を有して配置されている。延出壁部２２６は、延出壁部２２７の上方に配置されている。
【００４２】
延出壁部２２６の屋内側の端部には、下方に延びる下向き係止片２２６ａが設けられている。延出壁部２２７の屋内側の端部には、上方に延びる上向き係止片２２７ａが設けられている。
【００４３】
上外板部２２１の上端部には、気密材２２９が設けられている。気密材２２９は、上外板部２２１及び延出壁部２２６，２２７で囲まれた空間内に設けられる固定部２２９ａと、固定部２２９ａから屋内側に延びる気密片２２９ｂと、を有している。気密片２２９ｂの屋内側の端部は、上枠１１の屋外側突出枠壁部１１３の屋外側の面に当接している。上内板部２２２には、気密材が設けられていない。
【００４４】
外窓１の内障子２０Ｂの上框２２の構成は、外障子２０Ａの上框２２の構成と同様であり、同様に構成については同一の符号を付して説明を省略する。外窓１の内障子２０Ｂにも、気密材２２９が設けられている。内障子２０Ｂに設けられた気密片２２９ｂの屋内側の端部は、上枠１１の屋内側突出枠壁部１１４の屋外側の面に当接している。内障子２０Ｂの上内板部２２２には、気密材が設けられていない。
【００４５】
次に、外窓１の外障子２０Ａの戸先框２４（図３参照。以下同じ。）及び召合せ框２５（図３参照。以下同じ。）に設けられた振れ止め部材２２４について説明する。
【００４６】
図３に示すように、戸先框２４及び召合せ框２５には、それぞれ内部に上下方向全体にわたって框空間部Ｔ１が形成されている。框空間部Ｔ１の上端部には、それぞれ振れ止め部材２２４（図４参照）が挿入配置されている。
【００４７】
図４に示すように、各振れ止め部材２２４は、框空間部Ｔ１（図３参照。以下同じ。）内で屋外側に配置された屋外側振れ止め部２２４ａと、框空間部Ｔ１内で屋内側に配置された屋内側振れ止め部２２４ｃと、屋外側振れ止め部２２４ａの下端部と屋内側振れ止め部２２４ｃの下端部とを連結する下部振れ止め部２２４ｂと、を有している。屋外側振れ止め部２２４ａ、屋内側振れ止め部２２４ｃ及び下部振れ止め部２２４ｂは、一体として形成されている。屋外側振れ止め部２２４ａと屋内側振れ止め部２２４ｃとの間に、上枠１１の屋外側突出枠壁部１１３が配置されている。屋外側振れ止め部２２４ａと屋内側振れ止め部２２４ｃとで屋外側突出枠壁部１１３を屋内外方向に挟み込むことで、外障子２０Ａの屋内外方向の移動が規制されている。
【００４８】
次に、外窓１の内障子２０Ｂの戸先框２４及び召合せ框２５に設けられた振れ止め部材２２５について説明する。
【００４９】
各振れ止め部材２２５は、框空間部Ｔ１内で屋外側に配置された屋外側振れ止め部２２５ａと、框空間部Ｔ１内で屋内側に配置された屋内側振れ止め部２２５ｃと、屋外側振れ止め部２２５ａの下端部と屋内側振れ止め部２２５ｃの下端部とを連結する下部振れ止め部（不図示）と、を有している。屋外側振れ止め部２２５ａ、屋内側振れ止め部２２５ｃ及び下部振れ止め部は、一体として形成されている。屋外側振れ止め部２２５ａと屋内側振れ止め部２２５ｃとの間に、上枠１１の屋内側突出枠壁部１１４が配置されている。屋外側振れ止め部２２５ａと屋内側振れ止め部２２５ｃとで屋内側突出枠壁部１１４を屋内外方向に挟み込むことで、内障子２０Ｂの屋内外方向の移動が規制されている。
【００５０】
次に、外窓１の網戸縦框３４（図３参照。以下同じ。）について説明する。
網戸縦框３４の上端部には、上端部から下方に向かって凹む係合溝３２１が形成された網戸振れ止め部３２２が設けられている。係合溝３２１内に、外窓１の上枠１１の網戸突出枠壁部１１２が配置され、網戸３０の屋内外方向の移動が規制されている。
【００５１】
次に、内窓４の調整上枠５について説明する。
図５は、図２のＤ部拡大図である。
図５に示すように、調整上枠５は、調整上板部５０１と、調整上板部５０１から下方に延びる屋外側板部（屋外側換気壁部）５０２及び屋内側板部（屋内側換気壁部）５０３と、を有している。屋外側板部５０２は、屋内側板部５０３よりも屋外側に配置されている。
【００５２】
調整上板部５０１は、平板状に形成され、板厚方向を上下方向に向けて配置されている。調整上板部５０１は、上額縁Ｒの下面に螺子等（不図示）で固定されている。
【００５３】
屋外側板部５０２及び屋内側板部５０３は、平板状に形成され、板厚方向を屋内外方向に向けて配置されている。
【００５４】
屋内側板部５０３には、屋内外方向に貫通する複数の屋内側換気孔（第二換気孔）５０４が形成されている。正面視で（屋内側から見て）、屋内側換気孔５０４は、矩形や円形等の形状をなしている。屋内側換気孔５０４は、左右方向に間隔を有して配置されている。
【００５５】
調整上板部５０１と上枠４１の上枠板部４１１との間には、複数の伸縮部５０６，５０７が設けられている。伸縮部５０６，５０７は、スポンジや合成ゴム等の上下方向に伸縮可能な材料で構成されている。
【００５６】
伸縮部５０６．５０７は、上枠４１の延在方向（左右方向）に間隔を有して配置されている。伸縮部５０６は、伸縮部５０７よりも屋外側に、間隔を有して配置されている。本実施形態では、伸縮部５０６，５０７は、直方体状をなしている。
【００５７】
次に、調整上枠５に設けられた圧力調整機構６について説明する。
調整上枠５の屋外側板部５０２には、屋内外方向に貫通する屋外側換気孔（第一換気孔）５０５が形成されている。正面視（屋外側から見て）で、屋外側換気孔５０５は、矩形状に形成されている。屋外側換気孔５０５の屋外側には、圧力調整機構６が設けられている。
【００５８】
図６は、圧力調整機構を示す斜視図である。
図６に示すように、圧力調整機構６は、換気枠体６０１と、第一回動弁体（第一蓋部）６１１と、第二回動弁体（第二蓋部）６２１と、を有している。本実施形態では、圧力調整機構６は、合成樹脂製の押出成形部材で構成されている。なお、圧力調整機構６は、他にもアルミ形材や金属金物であってもよく、圧力調整機構６の一部がアルミ材等で構成され、他の部分が合成樹脂製の押出成形部材で構成されているように、構成部品によって材料が異なっていてもよい。
【００５９】
換気枠体６０１は、四方枠状に形成されている。換気枠体６０１は、左右方向に延在する上枠部６０２及び下枠部６０３と、上枠部６０２の両端部と下枠部６０３の両端部とをそれぞれ連結し上下方向に延在する縦枠部６０４と、を有している。
【００６０】
上枠部６０２、下枠部６０３及び縦枠部６０４により四方枠状をなす内部には、屋内外方向に貫通する第一開口部（収容孔）６０５が形成されている。第一開口部６０５は、屋外側換気孔５０５の屋外側に配置され、屋外側換気孔５０５と連通している。
【００６１】
各縦枠部６０４には、屋内側に延びる腕部６０６が設けられている。腕部６０６の先端部には、対向する腕部６０６と反対側に突出する係止爪部６０７が設けられている。係止爪部６０７が、屋外側板部５０２（図５参照。以下同じ。）における屋外側換気孔５０５（図５参照。以下同じ。）の周縁の部分に係止されている。
【００６２】
図７は、圧力調整機構６を示し、（ａ）負圧が生じた際に状態を示し、（ｂ）負圧と正圧とが釣り合っている状態を示し、（ｃ）正圧が生じた際に状態を示している。
図７に示すように、第一回動弁体６１１は、第一軸部６１２と、第一開閉パネル部６１３と、を有している。第一回動弁体６１１は、換気枠体６０１の第一開口部６０５内に配置可能とされている。
【００６３】
第一軸部６１２は、左右方向に延びている。第一軸部６１２は、換気枠体６０１の縦枠部６０４に支持されている。第一軸部６１２は、左右方向を軸線方向として周方向に回動可能とされている。
【００６４】
第一開閉パネル部６１３は、第一軸部６１２の下端部から下方に延びている。第一開閉パネル部６１３は、平板状に形成され、板厚方向を屋内外方向に向けて配置されている。第一開閉パネル部６１３には、屋内外方向に貫通する第二開口部（貫通孔）６１４が形成されている。正面視で、第二開口部６１４は、矩形状に形成されている。
【００６５】
第一回動弁体６１１は、図７（ｂ）に示すように鉛直方向に沿って配置され、換気枠体６０１（第一開口部６０５）に沿って配置される位置（以下、第一閉位置と称する。）から、図７（ａ）に示すように下端部を屋内側に向けて回動させて、第一開口部６０５を開放する位置（以下、第一開位置と称する）まで回動可能とされている。換言すると、第一回動弁体６１１は、第一閉位置で最も屋内側に配置され、第一開位置で最も屋外側に配置されている。
【００６６】
図７（ｂ）に示す第一閉位置から第一回動弁体６１１が屋外側へ回動すると、図７（ａ）に示すように、第一開閉パネル部６１３の上端部６１３ｕが上枠部６０２の下端部６０２ｄに当接して、第一回動弁体６１１の回動が規制され、第一開位置で第一回動弁体６１１の回動が停止する。
【００６７】
また、第一開位置から第一回動弁体６１１が屋内側へ回動すると、図７（ｂ）に示すように、第一開閉パネル部６１３の下端部に形成された段部６１５が下枠部６０３に形成された規制部（換気枠体の屋外側を向く面）６１６に当接して、第一回動弁体６１１の回動が規制され、第一閉位置で第一回動弁体６１１の回動が停止する。
【００６８】
図７に示すように、第二回動弁体６２１は、第二軸部６２２と、第二開閉パネル部６２３と、を有している。第二回動弁体６２１は、第一回動弁体６１１の屋内側に配置されている。
【００６９】
第二軸部６２２は、左右方向に延びている。第一回動弁体６１１の第一開閉パネル部６１３の屋内側の面には、屋外側に向かって凹む支持凹部６１７が形成されている。第二軸部６２２は、第一回動弁体６１１の支持凹部６１７内に配置され、支持されている。第二軸部６２２は、左右方向を軸線方向として周方向に回動可能とされている。
【００７０】
第二開閉パネル部６２３は、第二軸部６２２の下端部から下方に延びている。第二開閉パネル部６２３は、平板状に形成され、板厚方向を屋内外方向に向けて配置されている。
【００７１】
第二回動弁体６２１は、図７（ｂ）に示すように、第一回動弁体６１１に沿って配置された位置（以下、第二閉位置と称する）から、図７（ａ），（ｃ）に示すように第一回動弁体６１１から離間して配置され、第二開口部６１４を開放する位置（以下、第二開位置と称する）まで回動可能とされている。
【００７２】
図７（ａ）に示す位置では、第二回動弁体６２１は自重により第一回動弁体６１１から離間して、鉛直面よりも僅かに傾斜した姿勢とされている。
【００７３】
図７（ａ）から第一回動弁体６１１が屋内側へ回動すると、第二回動弁体６２１は第一回動弁体６１１に押圧されて屋内側に回動し、図７（ｂ）に示すように、第一回動弁体６１１の屋内側の面（第一蓋部の屋内側を向く面）に当接する。
【００７４】
図７（ｂ）に示す位置から第二回動弁体６２１が屋内側へ回動すると、図７（ｃ）に示すように、第二開閉パネル部６２３の上端部６２３ｕの屋内側の面が、第一回動弁体６１１の第一開閉パネル部６１３から屋内側に延びる規制部６１８に当接して、第二回動弁体６２１の回動が規制され停止する。
【００７５】
図５に示すように、屋内側換気孔５０４及び圧力調整機構６は、左右方向に間隔を有して複数形成されている。また、屋内側換気孔５０４及び圧力調整機構６が配置される左右方向の位置は、揃っていてもよいし、ずれていてもよい。
【００７６】
次に、内窓４の上枠４１について説明する。
上枠４１は、上枠板部４１１と、上枠板部４１１から下方に延びる屋外側突出部４１２、屋内側突出部４２２及び下向き枠壁部４２９と、を有している。屋外側突出部４１２、屋内側突出部４２２、下向き枠壁部４２９は、この順に屋外側から屋内側に向かって配置されている。
【００７７】
上枠板部４１１は、平板状に形成され、板厚方向を上下方向に向けて配置されている。上枠板部４１１は、調整上枠５の伸縮部５０６，５０７の下面に沿って配置されている。換言すると、上枠４１は開口部Ｐの上端の下方に隙間ＳＡを有して配置されていて、隙間ＳＡには伸縮部５０６，５０７が配置されている。
【００７８】
屋外側突出部４１２は、上枠板部４１１から下方に延び、屋内外方向に間隔を有して配置された一対の屋外側突出枠壁部４１３，４１４と、一対の屋外側突出枠壁部４１３，４１４の下端部どうしを連結する屋外側連結枠壁部４１５と、を有している。屋外側突出枠壁部４１３は、屋外側突出枠壁部４１４よりも屋外側に配置されている。
【００７９】
屋内側突出部４２２は、上枠板部４１１から下方に延び、屋内外方向に間隔を有して配置された一対の屋内側突出枠壁部４２３，４２４と、一対の屋内側突出枠壁部４２３，４２４の下端部どうしを連結する屋内側連結枠壁部４２５と、を有している。屋内側突出枠壁部４２３は、屋内側突出枠壁部４２４よりも屋外側に配置されている。
【００８０】
下向き枠壁部４２９は、平板状に形成され、板厚方向を屋内外方向に向けて配置されている。
【００８１】
次に、内窓４の外障子５０Ａの上框５２について説明する。
上框５２は、屋外側に配置される上外板部５２１と、屋内側に配置される上内板部５２２と、上外板部５２１と上内板部５２２とを連結する上連結板部５２３と、を有している。
【００８２】
上外板部５２１及び上内板部５２２は、平板状に形成され、板厚方向を屋内外方向に向けて配置されている。
【００８３】
上連結板部５２３は、平板状に形成され、板厚方向を上下方向に向けて配置されている。上連結板部５２３は、上外板部５２１の上下方向の中間と上内板部５２２の上下方向の中間とを連結している。
【００８４】
上外板部５２１の上端部には、屋内側に向かって延びる延出壁部５２６が設けられている。延出壁部５２６の屋内側の端部には、下方に向かって延びる取付壁部５２７が設けられている。
【００８５】
取付壁部５２７の屋内側の面には、気密材５２９が設けられている。気密材５２９は、取付壁部５２７に固定される固定部５２９ａと、固定部５２９ａの下端部から屋内側に向かうにしたがって次第に上方に向かって延びる気密片５２９ｂと、を有している。気密片５２９ｂの屋内側の端部（上端部）は、上枠４１の屋外側突出枠壁部４１３の屋外側の面に当接している。
【００８６】
上内板部５２２の上端部には、屋外側に向かって延びる延出壁部５３６が設けられている。延出壁部５３６の屋外側の端部には、下方に向かって延びる取付壁部５３７が設けられている。
【００８７】
取付壁部５３７の屋外側の面には、気密材５３９が設けられている。気密材５３９は、取付壁部５３７に固定される固定部５３９ａと、固定部５３９ａの下端部から屋外側に向かうにしたがって次第に上方に向かって延びる気密片５３９ｂと、を有している。気密片５３９ｂの屋外側の端部（上端部）は、上枠４１の屋外側突出枠壁部４１４の屋内側の面に当接している。
【００８８】
内窓４の内障子５０Ｂの上框５２の構成は、外障子５０Ａの上框５２の構成と同様であり、同様に構成については同一の符号を付して説明を省略する。内窓４の内障子５０Ｂにも、気密材５２９，５３９が設けられている。気密材５２９の気密片５２９ｂの屋内側の端部（上端部）は、上枠４１の屋内側突出枠壁部４２３の屋外側の面に当接している。気密材５３９の気密片５３９ｂの屋外側の端部（上端部）は、上枠４１の屋内側突出枠壁部４２４の屋内側の面に当接している。
【００８９】
次に、内窓４に設けられた気密材について説明する。
上記に示す気密材５２９，５３９の他に、図２に示すように、外障子５０Ａの下框５３の下端部には、下枠４２から上方に突出するレール部４４２を挟んで屋外側に気密材５４９が設けられ、屋内側に気密材５５１が設けられている。また、内障子５０Ｂの下框５３の下端部には、下枠４２から上方に突出するレール部４４３を挟んで屋外側に気密材５４９が設けられ、屋内側に気密材５５１が設けられている。気密材５４９，５５１により、外障子５０Ａの下框５３の下端部とレール部４４２との間は閉塞されている。気密材５４９，５５１により、内障子５０Ｂの下框５３の下端部とレール部４４３との間は閉塞されている。
【００９０】
また、図３に示すように、外障子５０Ａの戸先框５４の左右方向の端部には、縦枠４３との間に気密材５５２が設けられている。気密材５５２により、外障子５０Ａが閉じた状態で、戸先框５４と縦枠４３との間は閉塞されている。
【００９１】
外障子５０Ａの召合せ框５５の屋内側の面には、気密材５６９が設けられている。内障子５０Ｂの召合せ框５５の屋外側の面には、気密材５８９が設けられている。外障子５０Ａ及び内障子５０Ｂが閉じた状態で、気密材５６９，５８９により、互いの召合せ框５５間は閉塞されている。
【００９２】
内障子５０Ｂの戸先框５４の左右方向の端部には、縦枠４３との間に気密材５５３が設けられている。気密材５５３により、内障子５０Ｂが閉じた状態で、戸先框５４と縦枠４３との間は閉塞されている。
【００９３】
次に、上記の二重サッシ１００において、負圧が生じた際の空気の流れや圧力について説明する。
外窓１及び内窓４が閉塞された閉塞状態で、内窓４では、負圧が生じると、図７（ａ）に示すように、第一回動弁体６１１及び第二回動弁体６２１は下側を屋外側に向けるように回動する。第一回動弁体６１１は、第一開位置で回動が停止する。第二回動弁体６２１は、自重により鉛直面からの傾斜が第一回動弁体６１１よりも小さい。第二回動弁体６２１は、下側を第二回動弁体６２１から屋内側に離間させつつ、第一開口部６０５を開放可能な位置に配置されている。屋内の空気は、調整上枠５の屋内側換気孔５０４から調整上枠５内の隙間ＳＡに導入され、隣接配置された伸縮部５０７の間を通過して屋外側に進み、隣接配置された伸縮部５０６の間を通過して屋外側に進み、圧力調整機構６の第一開口部６０５を通過して、内窓４と外窓１との間へと流通する。
【００９４】
図８は、二重サッシ１００の外窓１において、負圧が生じた際の挙動を示す図である。
また、図８に示すように、外窓１では、外障子２０Ａ及び内障子２０Ｂが負圧を受けて屋外側に変位すると、外障子２０Ａの振れ止め部材２２４の屋内側振れ止め部２２４ｃが上枠１１の屋外側突出枠壁部１１３の屋内側の面に当接する。また、内障子２０Ｂの振れ止め部材２２５の屋内側振れ止め部２２５ｃが上枠１１の屋内側突出枠壁部１１４の屋内側の面に当接する。外障子２０Ａ及び内障子２０Ｂの上内板部２２２と屋外側突出枠壁部１１３及び屋内側突出枠壁部１１４との間には、それぞれ隙間Ｓ１が生じている。
【００９５】
また、外障子２０Ａ及び内障子２０Ｂの気密材２２９と屋外側突出枠壁部１１３及び屋内側突出枠壁部１１４との間には、それぞれ形成される隙間Ｓ２が生じている。
【００９６】
図８では外障子２０Ａ及び内障子２０Ｂの上外板部２２１、上内板部２２２及び上連結板部２２３の左右方向の両端部側の挙動を二点鎖線で示し、上外板部２２１、上内板部２２２及び上連結板部２２３の左右方向の中央側の挙動を実線で示している。外障子２０Ａ及び内障子２０Ｂの左右方向の両端部側では、振れ止め部材２２４の屋内側振れ止め部２２４ｃ及び振れ止め部材２２５の屋内側振れ止め部２２５ｃがそれぞれ屋外側突出枠壁部１１３及び屋内側突出枠壁部１１４に当接して、外障子２０Ａ及び内障子２０Ｂの変位が抑制されている。外障子２０Ａ及び内障子２０Ｂの左右方向の中央側では、左右方向の両端部側よりも、屋外側に撓むように変位している。これにより、隙間Ｓ２は、左右方向の中央側で大きくなっている。
【００９７】
上記のように内窓４を通過してきた空気は、内窓４と外窓１との間から、外窓１の内障子２０Ｂの上框２２の上内板部２２２と屋内側突出枠壁部１１４との間の隙間Ｓ１を通過して、上框２２の気密材２２９と上枠１１の屋内側突出枠壁部１１４との間の隙間Ｓ２を通過する。さらに、空気は、外障子２０Ａの上框２２の上内板部２２２と屋外側突出枠壁部１１３との間の隙間Ｓ１を通過して、上框２２の気密材２２９と上枠１１の屋外側突出枠壁部１１３との間の隙間Ｓ２を通過する。
【００９８】
このように、内窓４から外窓１まで、連通して隙間（空気の流路）が生じるため、内窓４の屋内側と屋外側との圧力差が低減される。
【００９９】
また、負圧と正圧とが釣り合った状態では、図７（ｂ）に示すように、第一回動弁体６１１は屋内側に回動した第一閉位置に配置され、第二回動弁体６２１は第二開口部６１４を閉塞する第二閉位置に配置されている。この状態では、第一開口部６０５内及び第二開口部６１４内の空気の通過はない。
【０１００】
また、正圧が生じると、図７（ｃ）に示すように、第一回動弁体６１１は第一開口部６０５を閉塞する第一閉位置に配置され、第二回動弁体６２１は第二開口部６１４を開放する第二開位置に配置されている。この状態では、屋外側の空気は、第一回動弁体６１１の第二開口部６１４及び第一開口部６０５を通過して屋内側に流入する。
【０１０１】
このように構成された二重サッシ１００では、負圧が生じた際に、第一回動弁体６１１は、調整上枠５に形成された屋外側換気孔５０５を開放可能な第一開位置に配置されている。また、第二回動弁体６２１は、第一回動弁体６１１から離間しつつ、屋外側換気孔５０５を開放可能な位置に配置されている。これにより、空気は、内窓４の調整上枠５に形成された屋外側換気孔５０５を通過する。また、外窓１では、負圧が生じた際に、空気が屋内側から屋外側に流通可能となる。よって、負圧が生じた際に、内窓４の屋内側から外窓１の屋外側まで連通した空気の流路ができるため、内窓４の屋内側と屋外側との圧力差（内窓４に作用する圧力）を低減させることができ、内窓４の障子が枠体から外れることが抑制される。
【０１０２】
また、正圧が生じた際には、第一回動弁体６１１は、屋内側に配置された第一閉位置に配置されている。第二回動弁体６２１は、第二開口部６１４を開放可能な第二開位置に配置されている。よって、正圧が生じた際に、内窓４の屋外側から第二開口部６１４及び第一開口部６０５を通過して屋外側まで連通した空気の流路ができる。
【０１０３】
また、換気枠体６０１は調整上枠５に支持され、第一回動弁体６１１は換気枠体６０１に支持され、第二回動弁体６２１は第一回動弁体６１１に支持されている。よって、換気枠体６０１内に第一回動弁体６１１及び第二回動弁体６２１が納められたユニット化されているため、圧力調整機構６の設置を容易に行うことができる。
【０１０４】
また、一の圧力調整機構６で、負圧及び正圧が生じた際の空気の流通が可能である。よって、負圧用の圧力調整機構と正圧用の圧力調整機構とをそれぞれ別々に設けるよりも、省スペースに設置することができる。
【０１０５】
また、第一開口部６０５の閉塞時に、第一回動弁体６１１が換気枠体６０１の規制部６１６に当接するため、第一開口部６０５の閉塞状態を維持することができる。また、第二開口部６１４の閉塞時に、第二回動弁体６２１が第一回動弁体６１１の屋内側を向く面に当接するため、第二開口部６１４の閉塞状態を維持することできる。
【０１０６】
なお、上述した実施の形態において示した各構成部材の諸形状や組み合わせ等は一例であって、本発明の主旨から逸脱しない範囲において設計要求等に基づき種々変更可能である。
【０１０７】
例えば、上記に示す実施形態では、開口部Ｐの上端に沿って設けられた調整上枠５が配置されているが、本発明はこれに限られない。上枠、下枠や縦枠等に設けられていてもよい。
【０１０８】
また、上記に示す実施形態では、屋外側換気孔５０５に沿って換気枠体６０１が設けられ、換気枠体６０１内に第一回動弁体６１１が設けられているが、本発明はこれに限られない。換気枠体６０１が設けられておらず、第一換気孔の外縁に第一蓋部が屋外側板部に直接設けられている構成であってもよい。
【０１０９】
また、上記に示す実施形態では、第一回動弁体６１１及び第二回動弁体６２１は、回動可能に設けられているが、本発明はこれに限られない。第一蓋部は第一換気孔の少なくとも一部を開閉可能であり、第二蓋部は貫通孔を開閉可能であればよい。例えば、第一蓋部は第一換気孔に沿ってスライド可能に設けられ、第二蓋部は貫通孔に沿ってスライド可能に設けられていてもよい。
【０１１０】
また、上記に示す実施形態では、外窓１は引違いサッシであるが、本発明はこれに限られない。外窓は、負圧が生じた際に、空気を屋外側に流通可能となればよく、片引戸や上げ下げ窓であってもよい。
【０１１１】
また、上記に示す実施形態では、外窓１及び内窓４のガラス２９，５９は、それぞれ単層の板ガラスであるが、本発明はこれに限られず、複層ガラス等であってもよい。
【０１１２】
また、内窓４の外障子５０Ａにおいて、屋外側突出部４１２の屋外側及び屋内側にそれぞれ気密材５２９，５３９が設けられ、屋外側突出部４１２を挟んで屋内外両側で気密性が確保されている。また、レール部４４２の屋外側及び屋内側にそれぞれ気密材５４９，５５１が設けられ、レール部４４２を挟んで屋内側両側で気密性が確保されている。また、外障子５０Ａと縦枠４３との間には気密材５５２が設けられ、気密性が確保されている。また、内窓４の内障子５０Ｂでも、屋内側突出部４２２の屋外側及び屋内側にそれぞれ気密材５２９，５３９が設けられ、屋内側突出部４２２を挟んで屋内外両側で気密性が確保されている。また、レール部４４３の屋外側及び屋内側にそれぞれ気密材５４９，５５１が設けられ、レール部４４３を挟んで屋内側両側で気密性が確保されている。また、内障子５０Ｂと縦枠４３との間には気密材５５３が設けられ、気密性が確保されている。また、外障子５０Ａの召合せ框５５と内障子５０Ｂの召合せ框５５との間には、気密材５６９，５８９が設けられ気密性が確保されている。つまり、本実施形態の内窓４は、気密性が高く、負圧が生じた際には、内窓４に大きな負圧が作用しやすい。よって、中間層Ｍ（図２参照）から外窓１に形成された隙間Ｓ１，Ｓ２まで連通した空気の流路を形成して、中間層Ｍの圧力を低減させることは、気密性が高い内窓４の外障子５０Ａ及び内障子５０Ｂが枠体４０から外れさせないために、重要な構成である。
【符号の説明】
【０１１３】
１…外窓
４…内窓
４Ｘ…開口枠
５…調整上枠
６…圧力調整機構
１０，４０…枠体
１１，４１…上枠
１２，４２…下枠
１３，４３…縦枠
２０Ａ，５０Ａ…外障子
２０Ｂ，５０Ｂ…内障子
２１，５１…框体
２２，５２…上框
２３，５３…下框
２４，５４…戸先框
２５，５５…召合せ框
２７，５７…ガラス保持溝
２９，５９…ガラス
３０…網戸
１００…二重サッシ
５０１…調整上板部
５０２…屋外側板部（屋外側換気壁部）
５０３…屋内側板部（屋内側換気壁部）
５０４…屋内側換気孔（第二換気孔）
５０５…屋外側換気孔（第一換気孔）
５０６，５０７…伸縮部
６０１…換気枠体
６０５…第一開口部（収容孔）
６１１…第一回動弁体（第一蓋部）
６１４…第二開口部（貫通孔）
６２１…第二回動弁体（第二蓋部）
Ｐ…開口部
ＳＡ，Ｓ１，Ｓ２…隙間
Ｗ…壁部
【図１】
2019116770.tif 000003
【図２】
2019116770.tif 000004
【図３】
2019116770.tif 000005
【図４】
2019116770.tif 000006
【図５】
2019116770.tif 000007
【図６】
2019116770.tif 000008
【図７】
2019116770.tif 000009
【図８】
2019116770.tif 000010